(57)【要約】      （修正有）【課題】特別な配線作業や配線コードの露出なしでＬＥＤ照明装置に電力を供給できる照明付きユニット什器を提供する。【解決手段】基礎支持部１と、角柱体フレーム部２と、ＬＥＤ照明装置内蔵部４とを順に上に載せて構成されるユニット什器であって、角柱体フレーム部が、その上下方向に延びる棒状フレーム３をその角部に少なくとも二つ有し、それらの中にその上端と下端の間で電流路を設け、さらに電流路の上端と下端の各々に電気コネクターを設け、基礎支持部が、その上端に棒状フレームの下端の電気コネクターの各々と接続可能な電気コネクターを有し、ＬＥＤ照明装置内蔵部が、ＬＥＤ照明装置内蔵部の電気コネクターが、内蔵するＬＥＤ照明装置に連結され、基礎支持部、角柱体フレーム、ＬＥＤ照明装置内蔵部を順に上に載せて固定すると、棒状フレームの上端の電気コネクターがＬＥＤ照明装置内蔵部の下端の電気コネクターと接続される。【選択図】図３
2019030488.tif 000002
【特許請求の範囲】
【請求項１】
基礎支持部と、前記基礎支持部の上に載せられる角柱体フレーム部と、前記角柱体フレーム部の上に載せられるＬＥＤ照明装置内蔵部とを含んで構成されるユニット什器であって、
前記角柱体フレーム部が、その上下方向に延びる棒状フレームをその角部に少なくとも二つ有し、そのうちの二つの前記棒状フレームの各々の中にその上端と下端の間で電流を流すための電流路を設け、さらにその電流路の上端と下端の各々に電気コネクターを設けていること、
前記基礎支持部が、その上端に前記棒状フレームの下端の電気コネクターの各々と電気的に接続可能な電気コネクターを有し、電力供給源から前記基礎支持部の電気コネクターに電力を供給することができるように構成されていること、
前記ＬＥＤ照明装置内蔵部が、その下端に前記棒状フレームの上端の電気コネクターの各々と電気的に接続可能な電気コネクターを有し、前記ＬＥＤ照明装置内蔵部の電気コネクターが、内蔵するＬＥＤ照明装置に電気的に連結されていること、及び
前記基礎支持部の上に前記角柱体フレーム部を載せ、前記角柱体フレーム部の上に前記ＬＥＤ照明装置内蔵部を載せて固定すると、前記基礎支持部の上端の電気コネクターが前記棒状フレームの下端の電気コネクターと電気的に接続され、前記棒状フレームの上端の電気コネクターが前記ＬＥＤ照明装置内蔵部の下端の電気コネクターと電気的に接続されるように構成されていることを特徴とするユニット什器。
【請求項２】
前記基礎支持部の電気コネクターに供給される電力の電圧が８〜３０ボルトであることを特徴とする請求項１に記載のユニット什器。
【請求項３】
前記基礎支持部が、電力供給のために繰り返し充電可能な電池を収納していることを特徴とする請求項１又は２に記載のユニット什器。
【請求項４】
前記ＬＥＤ照明装置内蔵部のＬＥＤ照明装置が、ＬＥＤ照明装置内蔵部の下方又は上方を照明するように構成されていることを特徴とする請求項１〜３のいずれかに記載のユニット什器。
【請求項５】
前記ＬＥＤ照明装置内蔵部の周囲が透明部材からなり、内蔵されるＬＥＤ照明装置の照明が、その透明部材を介して周囲から確認できるように構成されていることを特徴とする請求項１〜３のいずれかに記載のユニット什器。
【請求項６】
前記ＬＥＤ照明装置内蔵部の上に透明ケースが載せられていることを特徴とする請求項１〜５のいずれかに記載のユニット什器。
【請求項７】
前記ＬＥＤ照明装置内蔵部が、その下端の電気コネクターから前記ＬＥＤ照明装置内蔵部の上端まで電流を流すための電流路を有し、さらにその電流路の上端に電気コネクターを有することを特徴とする請求項１〜５のいずれかに記載のユニット什器。
【請求項８】
前記ＬＥＤ照明装置内蔵部の上に載せられる追加の角柱体フレーム部と、前記追加の角柱体フレーム部に載せられる追加のＬＥＤ照明装置内蔵部とをさらに有し、
前記追加の角柱体フレーム部が、その上下方向に延びる棒状フレームをその角部に少なくとも二つ有し、そのうちの二つの前記棒状フレームの各々の中にその上端と下端の間で電流を流すための電流路を設け、さらにその電流路の上端と下端の各々に電気コネクターを設けていること、
前記追加のＬＥＤ照明装置内蔵部が、その下端に前記追加の角柱体フレーム部の前記棒状フレームの上端の電気コネクターの各々と電気的に接続可能な電気コネクターを有し、前記追加のＬＥＤ照明装置内蔵部の電気コネクターが、内蔵するＬＥＤ照明装置に電気的に連結されていること、及び
前記ＬＥＤ照明装置内蔵部の上に前記追加の角柱体フレーム部を載せ、前記追加の角柱体フレーム部の上に前記追加のＬＥＤ照明装置内蔵部を載せて固定すると、前記ＬＥＤ照明装置内蔵部の上端の電気コネクターが前記追加の角柱体フレーム部の下端の電気コネクターと電気的に接続され、前記追加の角柱体フレーム部の前記棒状フレームの上端の電気コネクターが前記追加のＬＥＤ照明装置内蔵部の下端の電気コネクターと電気的に接続されるように構成されていることを特徴とする請求項７に記載のユニット什器。
【請求項９】
前記追加のＬＥＤ照明装置内蔵部のＬＥＤ照明装置が、追加のＬＥＤ照明装置内蔵部の下方を照明するように構成されていることを特徴とする請求項８に記載のユニット什器。
【請求項１０】
什器の全体の外形が、鉛直方向に長手方向を持つ略直方体形状を有することを特徴とする請求項１〜９のいずれかに記載のユニット什器。
【発明の詳細な説明】
【技術分野】
【０００１】
本発明は、百貨店などの店舗やショールームなどにおいて陳列、設置され、高さ方向に積み重ねて組み立てられる照明付きユニット什器に関する。
【背景技術】
【０００２】
従来の照明付きユニット什器では、図１に示すように、陳列品を配置する陳列ユニットと、照明付きパーツを有する枡ユニットとを積み重ねて組み立てられ、隣接する枡ユニットからの照明により陳列品を明るく魅力的なものに見せるようになっている。
【０００３】
しかしながら、従来の照明付きユニット什器では、陳列品の照明のための枡ユニットは、図２に示すように、１００ボルトコンセントから照明用の電源をとり、枡ユニットのパネルに設けたプラグ受けに隣接する段の枡ユニットからの差し込みプラグを順次接続して連結し、ユニット什器の照明の電気系を構成していた。他の什器の電気系の接続では、レールコンセントを使用するものが一般的であった（特許文献１参照）。
【０００４】
このような従来の構成では、陳列品の照明のために使用する照明装置を電気コードで連結しているため、電気コードが露出して見映えが悪く、スマートなデザインを構築することが難しい問題があった。また、個々の配線コードの連結やコンセントの接続が多くの箇所で必要であり、これらは、正確さを要する煩わしい作業であり、設営時間の短縮化のために簡略化が求められていた。
【先行技術文献】
【特許文献】
【０００５】
【特許文献１】実開平６−７９０８７号公報
【発明の概要】
【発明が解決しようとする課題】
【０００６】
本発明は、かかる従来技術の現状に鑑み創案されたものであり、その目的は、照明装置への電力供給のための配線作業や接続作業なしで安全に短時間で設営することができる、デザインの自由度が高い、高さ方向に積み重ねて組み立てられる照明付きユニット什器を提供することにある。
【課題を解決するための手段】
【０００７】
本発明者は、上記目的を達成するために鋭意検討した結果、ユニット什器を構成する基礎支持部と角柱体フレーム部とＬＥＤ照明装置内蔵部とを順に上に載せて固定すると、電力供給源に接続された基礎支持部の上端の電気コネクター、角柱体フレーム部の上下方向に延びる棒状フレームの下端の電気コネクター、棒状フレームの中の電流路、棒状フレームの上端の電気コネクター、ＬＥＤ照明装置内蔵部の下端の電気コネクター、内蔵されたＬＥＤ照明装置にその順の経路で電気が流れて、電力供給源からＬＥＤ照明装置までの電力供給を確立することができる基本構成を採用することによって、什器の各ユニット部間の特別な電気配線作業なしで、しかも電気コードを露出させずに、下方の基礎支持部から上方のＬＥＤ照明装置まで電力を供給できる什器を安全に短時間に設営できることを見出し、本発明の完成に至った。
【０００８】
即ち、本発明は、以下の（１）〜（１０）の構成を有するものである。
（１）基礎支持部と、前記基礎支持部の上に載せられる角柱体フレーム部と、前記角柱体フレーム部の上に載せられるＬＥＤ照明装置内蔵部とを含んで構成されるユニット什器であって、
前記角柱体フレーム部が、その上下方向に延びる棒状フレームをその角部に少なくとも二つ有し、そのうちの二つの前記棒状フレームの各々の中にその上端と下端の間で電流を流すための電流路を設け、さらにその電流路の上端と下端の各々に電気コネクターを設けていること、
前記基礎支持部が、その上端に前記棒状フレームの下端の電気コネクターの各々と電気的に接続可能な電気コネクターを有し、電力供給源から前記基礎支持部の電気コネクターに電力を供給することができるように構成されていること、
前記ＬＥＤ照明装置内蔵部が、その下端に前記棒状フレームの上端の電気コネクターの各々と電気的に接続可能な電気コネクターを有し、前記ＬＥＤ照明装置内蔵部の電気コネクターが、内蔵するＬＥＤ照明装置に電気的に連結されていること、及び
前記基礎支持部の上に前記角柱体フレーム部を載せ、前記角柱体フレーム部の上に前記ＬＥＤ照明装置内蔵部を載せて固定すると、前記基礎支持部の上端の電気コネクターが前記棒状フレームの下端の電気コネクターと電気的に接続され、前記棒状フレームの上端の電気コネクターが前記ＬＥＤ照明装置内蔵部の下端の電気コネクターと電気的に接続されるように構成されていることを特徴とするユニット什器。
（２）前記基礎支持部の電気コネクターに供給される電力の電圧が８〜３０ボルトであることを特徴とする（１）に記載のユニット什器。
（３）前記基礎支持部が、電力供給のために繰り返し充電可能な電池を収納していることを特徴とする（１）又は（２）に記載のユニット什器。
（４）前記ＬＥＤ照明装置内蔵部のＬＥＤ照明装置が、ＬＥＤ照明装置内蔵部の下方又は上方を照明するように構成されていることを特徴とする（１）〜（３）のいずれかに記載のユニット什器。
（５）前記ＬＥＤ照明装置内蔵部の周囲が透明部材からなり、内蔵されるＬＥＤ照明装置の照明が、その透明部材を介して周囲から確認できるように構成されていることを特徴とする（１）〜（３）のいずれかに記載のユニット什器。
（６）前記ＬＥＤ照明装置内蔵部の上に透明ケースが載せられていることを特徴とする（１）〜（５）のいずれかに記載のユニット什器。
（７）前記ＬＥＤ照明装置内蔵部が、その下端の電気コネクターから前記ＬＥＤ照明装置内蔵部の上端まで電流を流すための電流路を有し、さらにその電流路の上端に電気コネクターを有することを特徴とする（１）〜（５）のいずれかに記載のユニット什器。
（８）前記ＬＥＤ照明装置内蔵部の上に載せられる追加の角柱体フレーム部と、前記追加の角柱体フレーム部に載せられる追加のＬＥＤ照明装置内蔵部とをさらに有し、
前記追加の角柱体フレーム部が、その上下方向に延びる棒状フレームをその角部に少なくとも二つ有し、そのうちの二つの前記棒状フレームの各々の中にその上端と下端の間で電流を流すための電流路を設け、さらにその電流路の上端と下端の各々に電気コネクターを設けていること、
前記追加のＬＥＤ照明装置内蔵部が、その下端に前記追加の角柱体フレーム部の前記棒状フレームの上端の電気コネクターの各々と電気的に接続可能な電気コネクターを有し、前記追加のＬＥＤ照明装置内蔵部の電気コネクターが、内蔵するＬＥＤ照明装置に電気的に連結されていること、及び
前記ＬＥＤ照明装置内蔵部の上に前記追加の角柱体フレーム部を載せ、前記追加の角柱体フレーム部の上に前記追加のＬＥＤ照明装置内蔵部を載せて固定すると、前記ＬＥＤ照明装置内蔵部の上端の電気コネクターが前記追加の角柱体フレーム部の下端の電気コネクターと電気的に接続され、前記追加の角柱体フレーム部の前記棒状フレームの上端の電気コネクターが前記追加のＬＥＤ照明装置内蔵部の下端の電気コネクターと電気的に接続されるように構成されていることを特徴とする（７）に記載のユニット什器。
（９）前記追加のＬＥＤ照明装置内蔵部のＬＥＤ照明装置が、追加のＬＥＤ照明装置内蔵部の下方を照明するように構成されていることを特徴とする（８）に記載のユニット什器。
（１０）什器の全体の外形が、鉛直方向に長手方向を持つ略直方体形状を有することを特徴とする（１）〜（９）のいずれかに記載のユニット什器。
【発明の効果】
【０００９】
本発明によれば、特別な配線作業や配線コードの露出なしでＬＥＤ照明装置に電力を供給できるように積み重ねて組み立てることができる照明付きユニット什器を提供することができる。特に、ユニット什器を構成する各部を順に上に載せて組み立てていくだけで配線作業や電気接続作業が完了するため、什器の組み立て設営の時間が大幅に短縮されることができる。また、配線コードの露出がないため、外部からの見映えが良く、デザイン性に優れる。さらに、本発明によれば、ＬＥＤ照明装置に電力を供給するために流す電流を低電圧のものにすることによって、設営時に手で誤って電気コネクターや電流路に触れたとしてもピリッと電気を感じることなく、安全に作業を行なうことができる。
【図面の簡単な説明】
【００１０】
【図１】図１は、従来の照明付きユニット什器の一例の外観写真である。
【図２】図２は、従来の照明付きユニット什器の照明装置の電気配線の一例の概略図である。
【図３】図３は、本発明のユニット什器の一実施形態の外観写真である。
【図４】図４は、本発明のユニット什器のＬＥＤ照明装置の一例を示す外観写真である。
【図５】図５は、本発明のユニット什器の角柱体フレーム部の棒状フレームの電気コネクターと基礎支持部又はＬＥＤ照明装置内蔵部の電気コネクターとの接続部の一例の概略図である。
【図６】図６は、本発明のユニット什器の別の実施形態の外観図である。
【図７】図７は、本発明のユニット什器のさらに別の実施形態の分解説明図である。
【発明を実施するための形態】
【００１１】
以下、本発明のユニット什器の実施形態を図面を参照して説明するが、本発明は、これらに限定されるものではない。
【００１２】
本発明のユニット什器は、基礎支持部、角柱体フレーム部、ＬＥＤ照明装置内蔵部などを順に上に載せて組み立てられるものであり、これらを現場で設営するにあたり、配線コードを露出させずに、ほぼこれらの組み立て接合作業だけでＬＥＤ照明装置への電源供給経路の構築が簡単に完了することに特徴があり、そのために角柱体フレーム部には上下方向に電流路を設けた棒状フレームを設け、その棒状フレームの上端及び下端には電気コネクターを設け、基礎支持部の上端及びＬＥＤ照明装置内蔵部の下端（必要により上端）にも電気コネクターをそれぞれ設け、前述のように順に各部を上に載せて組み立てることによって、各電気コネクターが自動的に電気的に接触して、その状態が保持され、ＬＥＤ照明装置への電力の供給が確立されるという効果を持つ。以下、本発明のユニット什器の典型的な実施形態を説明する。
【００１３】
（実施形態１）
図３は、本発明のユニット什器の一実施形態の外観写真である。図において、１は、基礎支持部であり、ユニット什器を床に支持して安定させる部分である。必要により底部の四隅に車輪（図示せず）を設けることができる。２は、角柱体フレーム部であり、基礎支持部１の上に載せられる。角柱体フレーム部２は、その上下方向に延びる棒状フレーム３をその角部に少なくとも二つ有するが、その全体形状が図３のように直方体の場合は上下方向の棒状フレーム３は角部に四つであることが好ましい。４は、角柱体フレーム部２の上に載せられるＬＥＤ照明装置内蔵部であり、内蔵するＬＥＤ照明装置６によりＬＥＤ照明装置内蔵部４の上、下、中又は周囲を照明する。例えば図４では、ＬＥＤ照明装置内蔵部４のＬＥＤ照明装置６は、その下方を照明するように構成されている。５は、ＬＥＤ照明装置内蔵部４の上に載せられる透明ケースであり、必要により内部に陳列品が展示される。
【００１４】
角柱体フレーム部２の上下方向に延びる棒状フレーム３のうち二つの棒状フレームの各々の中にその上端と下端の間で電流を流すための電流路（図示せず）が設けられ、さらにその電流路の上端と下端の各々に電気コネクター７，７がそれぞれ設けられている。
【００１５】
基礎支持部１には、その上端に角柱体フレーム部２の棒状フレーム３の下端の電気コネクター７の各々と電気的に接続可能な電気コネクター８が設けられている。また、基礎支持部１の電気コネクター８は、電力供給源（図示せず）に電気的に連結され、そこから電力を供給することができるように構成されている。
【００１６】
ＬＥＤ照明装置内蔵部４には、その下端に角柱体フレーム部２の棒状フレーム３の上端の電気コネクター７の各々と電気的に接続可能な電気コネクター８が設けられている。さらに、ＬＥＤ照明装置内蔵部４は、必要によりその下端の電気コネクター８からその上端まで電流を流すための電流路を有し、さらにその電流路の上端に電気コネクター８を有することができる。ＬＥＤ照明装置内蔵部４の下端の電気コネクター８、さらに必要により上端の電気コネクター８は、内蔵するＬＥＤ照明装置６に電気的に連結されている。
【００１７】
ユニット什器を構成する各部を順に上に積み重ねていくと、例えば図５に示すように積み重ねられた各部の境界で一方の電気コネクター７が他方の電気コネクター８に電気的に接触し、この電気コネクター同士の電気的接続状態が保持されるようになっている。電気コネクター７，８の形態は、従来公知のものを適宜採用することができるが、例えば図５に示すように電気コネクター７の電気接点となる先端を固定凸部とし、電気コネクター８の電気接点となる先端を弾性反発力を有する凸部とし、ユニット什器の下方構成部の上に上方構成部を積み重ねると、電気コネクター８の先端が電気コネクター７の先端を弾性反発力で押して永続的な電気的接続状態を保持できる押圧型の電気接点の構成のものを採用することができる。電気コネクター７，８の先端は、互いに上述したものの逆の構成にしてもよく、また、一方の先端の凸部を凹部に変更してもよい。さらに、電気コネクター７，８の先端は、互いに磁気的に接触しあうものであってもよい。
【００１８】
このような電気コネクター７，８の構成により、基礎支持部１の上に角柱体フレーム部２を載せ、角柱体フレーム部２の上にＬＥＤ照明装置内蔵部４を載せて固定すると、基礎支持部１の上端の電気コネクター８が角柱体フレーム部２の棒状フレーム３の下端の電気コネクター７と電気的に接続され、棒状フレーム３の上端の電気コネクター７がＬＥＤ照明装置内蔵部４の下端の電気コネクター８と電気的に接続されることができる。結果として、電力供給源、基礎支持部１の電気コネクター８、角柱体フレーム部２の棒状フレーム３の下端の電気コネクター７、内部の電流路、上端の電気コネクター７、ＬＥＤ照明装置内蔵部４の下端の電気コネクター８、ＬＥＤ照明装置６の順で電流を流すことができる。特に電力供給源のプラス側が基礎支持部１の上端のコネクターの一方に接続され、マイナス側が他方に接続されるように予め構成することによって、ＬＥＤ照明装置内蔵部４のＬＥＤ照明装置６への電力供給を自動的に行なうことができる。
【００１９】
電力供給源としては、１００Ｖのコンセント又は８〜３０ボルトの電圧の繰り返し充電可能なバッテリーが好ましい。このようなバッテリーは、基礎支持部１の中に収容できることが好ましい。１００Ｖのコンセントから電源が供給される場合は、取り扱いの安全のため、好ましくは８〜３０ボルト、より好ましくは９〜２５ボルト（例えば１２ボルト）のような低電圧に変圧して使用することが好ましい。また、バッテリーを使用する場合は、１００Ｖのコンセントから供給されたものを前述の低電圧に変換して充電できることが好ましく、現場で充電したり、又は別の場所で予め充電したものを交換して使用することが好ましい。バッテリーの容量は、ＬＥＤ照明装置６を少なくとも１２時間駆動させれば十分であり、その容量は、好ましくは５０〜２０００Ａｈ、より好ましくは１００〜１０００Ａｈである。基礎支持部１の電気コネクター８に供給される電力の電圧を８〜３０ボルトのように低電圧のものにすることによって、什器の組み立て設営時に露出した電流通過部分を手で触れたとしても感電による影響を受けることなく、作業者の安全を確保することができる。
【００２０】
なお、ＬＥＤ照明装置内蔵部４は、図３に示すような形態に限定されず、その周囲を有色又は無色の透明部材で形成し、その透明部材を介して周囲から確認できるように構成したものであってもよい。この場合は、ＬＥＤ照明装置内蔵部４の外形は、図３に示すものと比較して幅より高さ方向が長い形状であることができ、例えば略立方体や高さ方向に長い直方体の形状をとることができる。
【００２１】
（実施形態２）
図６は、本発明のユニット什器の別の実施形態の外観図である。図において、１は、基礎支持部であり、ユニット什器を床に支持して安定させる部分である。必要により底部の四隅に車輪（図示せず）を設けることができる。２は、角柱体フレーム部であり、基礎支持部１の上に載せられる。角柱体フレーム部２は、その上下方向に延びる棒状フレーム３をその角部に少なくとも二つ有するが、その全体形状が図６のように直方体の場合は上下方向の棒状フレーム３は角部に四つであることが好ましい。４は、角柱体フレーム部２の上に載せられるＬＥＤ照明装置内蔵部であり、内蔵するＬＥＤ照明装置６によりＬＥＤ照明装置内蔵部４の上、下、中又は周囲を照明する。９は、ＬＥＤ照明装置内蔵部４の上に載せられる追加の角柱体フレーム部であり、追加の角柱体フレーム部９は、基本的には角柱体フレーム部３と同様の構成を有する。但し、図６では、ＬＥＤ照明装置内蔵部４の上に必要により陳列品が展示されるため、その陳列品を外部から視認するように追加の角柱体フレーム部９の周囲は、無色の透明部材で覆われている。１０は、追加の角柱体フレーム部９の上に載せられる追加のＬＥＤ照明装置内蔵部であり、追加のＬＥＤ照明装置内蔵部１０は、基本的にはＬＥＤ照明装置内蔵部４と同様の構成を有する。この実施形態２は、ＬＥＤ照明装置内蔵部４より上の構成が実施形態１と異なるだけであり、それ以外の点は基本的に前述の実施形態１での説明が適宜適用される。
【００２２】
追加の角柱体フレーム部９の上下方向に延びる棒状フレームのうち二つの棒状フレームの各々の中にその上端と下端の間で電流を流すための電流路（図示せず）が設けられ、さらにその電流路の上端と下端の各々に電気コネクター７，７がそれぞれ設けられている。また、ＬＥＤ照明装置内蔵部４は、その下端の電気コネクター８からその上端まで電流を流すための電流路を有し、さらにその電流路の上端に電気コネクター８が設けられている。
【００２３】
追加のＬＥＤ照明装置内蔵部１０は、その下端に追加の角柱体フレーム部９の棒状フレームの上端の電気コネクター７の各々と電気的に接続可能な電気コネクター８が設けられている。追加のＬＥＤ照明装置内蔵部１０の下端の電気コネクター８は、そこに内蔵するＬＥＤ照明装置に電気的に連結されている。
【００２４】
ユニット什器を構成する各部を順に上に積み重ねていくと、例えば図５に示すように積み重ねられた各部の境界で一方の電気コネクター７が他方の電気コネクター８に電気的に接触し、この電気コネクター同士の電気的接続状態が保持されるようになっている。電気コネクター７，８の形態は、従来公知のものを適宜採用することができるが、例えば図５に示すように電気コネクター７の電気接点となる先端を固定凸部とし、電気コネクター８の電気接点となる先端を弾性反発力を有する凸部とし、ユニット什器の下方構成部の上に上方構成部を積み重ねると、電気コネクター８の先端が電気コネクター７の先端を弾性反発力で押して永続的な電気的接続状態を保持できる押圧型の電気接点の構成のものを採用することができる。電気コネクター７，８の先端は、互いに上述したものの逆の構成にしてもよく、また、一方の先端の凸部を凹部に変更してもよい。さらに、電気コネクター７，８の先端は、互いに磁気的に接触しあうものであってもよい。
【００２５】
このような電気コネクター７，８の構成により、基礎支持部１の上に角柱体フレーム部２を載せ、角柱体フレーム部２の上にＬＥＤ照明装置内蔵部４を載せ、ＬＥＤ照明装置内蔵部４の上に追加の角柱体フレーム部９を上に載せ、追加の角柱体フレーム部９の上に追加のＬＥＤ照明装置内蔵部１０を載せて固定すると、基礎支持部１の上端の電気コネクター８が角柱体フレーム部２の棒状フレーム３の下端の電気コネクター７と電気的に接続され、棒状フレーム３の上端の電気コネクター７がＬＥＤ照明装置内蔵部４の下端の電気コネクター８と電気的に接続され、ＬＥＤ照明装置内蔵部４の上端の電気コネクター８が追加の角柱体フレーム部９の下端の電気コネクター７と電気的に接続され、角柱体フレーム部９の上端の電気コネクター７が追加のＬＥＤ照明装置内蔵部１０の下端の電気コネクター８と電気的に接続されることができる。結果として、電力供給源、基礎支持部１の電気コネクター８、角柱体フレーム部２の棒状フレーム３の下端の電気コネクター７、内部の電流路、上端の電気コネクター７、ＬＥＤ照明装置内蔵部４の下端の電気コネクター８、内蔵するＬＥＤ照明装置、内部の電流路、上端の電気コネクター８、追加の角柱体フレーム部の下端の電気コネクター７、内部の電流路、上端の電気コネクター７、追加のＬＥＤ照明装置内蔵部１０の下端の電気コネクター８、内蔵するＬＥＤ照明装置の順で電流を流すことができる。特に電力供給源のプラス側が基礎支持部１の上端のコネクターの一方に接続され、マイナス側が他方に接続されるように予め構成することによって、ＬＥＤ照明装置内蔵部４及び追加のＬＥＤ照明装置内蔵部１０の各々のＬＥＤ照明装置への電力供給を自動的に行なうことができる。
【００２６】
電力供給源としては、１００Ｖのコンセント又は８〜３０ボルトの電圧の繰り返し充電可能なバッテリーが好ましい。このようなバッテリーは、基礎支持部１の中に収容できることが好ましい。１００Ｖのコンセントから電源が供給される場合は、取り扱いの安全のため、好ましくは８〜３０ボルト、より好ましくは９〜２５ボルト（例えば１２ボルト）のような低電圧に変圧して使用することが好ましい。また、バッテリーを使用する場合は、１００Ｖのコンセントから供給されたものを前述の低電圧に変換して充電できることが好ましく、現場で充電したり、又は別の場所で予め充電したものを交換して使用することが好ましい。バッテリーの容量は、ＬＥＤ照明装置６を少なくとも１２時間駆動させれば十分であり、その容量は、好ましくは５０〜２０００Ａｈ、より好ましくは１００〜１０００Ａｈである。基礎支持部１の電気コネクター８に供給される電力の電圧を８〜３０ボルトのように低電圧のものにすることによって、什器の組み立て設営時に露出した電流通過部分を手で触れたとしても感電による影響を受けることなく、作業者の安全を確保することができる。
【００２７】
（実施形態３）
図７は、本発明のユニット什器のさらに別の実施形態を各部ごとに分解して示した外観図である。この実施形態３は、前述の第二実施形態とは、追加の角柱体フレーム部１１の周囲に透明部材を設けていないこと、そして追加のＬＥＤ照明装置内蔵部１０の上に追加の透明ケース１３を設けていることを除いては基本的に同様の構成を有する。必要により陳列品は、追加のＬＥＤ照明装置内蔵部１２の上で追加の透明ケース１３の中に置かれる。この第三実施形態は、前述の実施形態１，２と共通する部分については、基本的に前述の実施形態１，２の説明が適宜適用される。
【００２８】
以上、本発明のユニット什器の典型例を図面を参照して説明したが、従来公知の什器の各構成部品への追加・変更、従来公知の電気構成部品の追加・変更などは、本発明の目的や請求項に記載した構成を逸脱しない限り、適宜実施可能であり、かかる範囲も本発明の技術的範囲に属することに注意すべきである。なお、本発明のユニット什器の各構成部の横断面は、矩形、特に略正方形であることが好ましく、またユニット什器の全体の外形は、鉛直方向に長手方向を持つ略直方体形状を有することが好ましい。
【産業上の利用可能性】
【００２９】
本発明によれば、特別な配線作業や配線コードの露出なしでＬＥＤ照明装置に電力を供給できるように積み重ねて組み立てることができる照明付きユニット什器を提供することができる。従って、本発明は、什器の組み立て設営時間の短縮に大いに寄与することができる。
【符号の説明】
【００３０】
１      基礎支持部
２      角柱体フレーム部
３      棒状フレーム
４      ＬＥＤ照明装置内蔵部
５      透明ケース
６      ＬＥＤ照明装置
７      電気コネクター
８      電気コネクター
９      追加の角柱体フレーム部
１０      追加のＬＥＤ照明装置内蔵部
１１      追加の角柱体フレーム部
１２      追加のＬＥＤ照明装置内蔵部
１３      追加の透明ケース
【図１】
2019030488.tif 000003
【図２】
2019030488.tif 000004
【図３】
2019030488.tif 000005
【図４】
2019030488.tif 000006
【図５】
2019030488.tif 000007
【図６】
2019030488.tif 000008
【図７】
2019030488.tif 000009
【手続補正書】
【提出日】平成29年10月27日(2017.10.27)
【手続補正１】
【補正対象書類名】特許請求の範囲
【補正対象項目名】全文
【補正方法】変更
【補正の内容】
【特許請求の範囲】
【請求項１】
基礎支持部と、前記基礎支持部の上に載せられる直方体フレーム部と、前記直方体フレーム部の上に載せられるＬＥＤ照明装置内蔵部とをそれぞれ着脱自在に含んで構成されるユニット什器であって、
前記直方体フレーム部が、その上下方向に延びる棒状フレームをその四つの角部にそれぞれ有し、それらの棒状フレームのうちの二つの前記棒状フレームの各々の中にその上端と下端の間で電流を流すための電流路を設け、さらにその電流路の上端と下端の各々に電気コネクターを設けていること、
前記基礎支持部が、その上端に前記棒状フレームの下端の電気コネクターの各々と電気的に接続可能な電気コネクターを有し、電力供給源から前記基礎支持部の電気コネクターに電力を供給することができるように構成されていること、
前記ＬＥＤ照明装置内蔵部が、その下端に前記棒状フレームの上端の電気コネクターの各々と電気的に接続可能な電気コネクターを有し、前記ＬＥＤ照明装置内蔵部の電気コネクターが、内蔵するＬＥＤ照明装置に電気的に連結されていること、及び
前記基礎支持部の上に前記直方体フレーム部を載せ、前記直方体フレーム部の上に前記ＬＥＤ照明装置内蔵部を載せて固定すると、前記基礎支持部の上端の電気コネクターが前記棒状フレームの下端の電気コネクターと電気的に接続され、前記棒状フレームの上端の電気コネクターが前記ＬＥＤ照明装置内蔵部の下端の電気コネクターと電気的に接続されるように構成されていることを特徴とするユニット什器。
【請求項２】
前記基礎支持部の電気コネクターに供給される電力の電圧が８〜３０ボルトであることを特徴とする請求項１に記載のユニット什器。
【請求項３】
前記基礎支持部が、電力供給のために繰り返し充電可能な電池を収納していることを特徴とする請求項１又は２に記載のユニット什器。
【請求項４】
前記ＬＥＤ照明装置内蔵部のＬＥＤ照明装置が、ＬＥＤ照明装置内蔵部の下方又は上方を照明するように構成されていることを特徴とする請求項１〜３のいずれかに記載のユニット什器。
【請求項５】
前記ＬＥＤ照明装置内蔵部の周囲が透明部材からなり、内蔵されるＬＥＤ照明装置の照明が、その透明部材を介して周囲から確認できるように構成されていることを特徴とする請求項１〜３のいずれかに記載のユニット什器。
【請求項６】
前記ＬＥＤ照明装置内蔵部の上に透明ケースが載せられていることを特徴とする請求項１〜５のいずれかに記載のユニット什器。
【請求項７】
前記ＬＥＤ照明装置内蔵部が、その下端の電気コネクターから前記ＬＥＤ照明装置内蔵部の上端まで電流を流すための電流路を有し、さらにその電流路の上端に電気コネクターを有することを特徴とする請求項１〜５のいずれかに記載のユニット什器。
【請求項８】
前記ＬＥＤ照明装置内蔵部の上に載せられる追加の直方体フレーム部と、前記追加の直方体フレーム部に載せられる追加のＬＥＤ照明装置内蔵部とをそれぞれ着脱自在にさらに有し、
前記追加の直方体フレーム部が、その上下方向に延びる棒状フレームをその四つの角部にそれぞれ有し、それらの棒状フレームのうちの二つの前記棒状フレームの各々の中にその上端と下端の間で電流を流すための電流路を設け、さらにその電流路の上端と下端の各々に電気コネクターを設けていること、
前記追加のＬＥＤ照明装置内蔵部が、その下端に前記追加の直方体フレーム部の前記棒状フレームの上端の電気コネクターの各々と電気的に接続可能な電気コネクターを有し、前記追加のＬＥＤ照明装置内蔵部の電気コネクターが、内蔵するＬＥＤ照明装置に電気的に連結されていること、及び
前記ＬＥＤ照明装置内蔵部の上に前記追加の直方体フレーム部を載せ、前記追加の直方体フレーム部の上に前記追加のＬＥＤ照明装置内蔵部を載せて固定すると、前記ＬＥＤ照明装置内蔵部の上端の電気コネクターが前記追加の直方体フレーム部の下端の電気コネクターと電気的に接続され、前記追加の直方体フレーム部の前記棒状フレームの上端の電気コネクターが前記追加のＬＥＤ照明装置内蔵部の下端の電気コネクターと電気的に接続されるように構成されていることを特徴とする請求項７に記載のユニット什器。
【請求項９】
前記追加のＬＥＤ照明装置内蔵部のＬＥＤ照明装置が、追加のＬＥＤ照明装置内蔵部の下方を照明するように構成されていることを特徴とする請求項８に記載のユニット什器。
【請求項１０】
什器の全体の外形が、鉛直方向に長手方向を持つ略直方体形状を有することを特徴とする請求項１〜９のいずれかに記載のユニット什器。
【手続補正２】
【補正対象書類名】明細書
【補正対象項目名】０００８
【補正方法】変更
【補正の内容】
【０００８】
即ち、本発明は、以下の（１）〜（１０）の構成を有するものである。
（１）基礎支持部と、前記基礎支持部の上に載せられる直方体フレーム部と、前記直方体フレーム部の上に載せられるＬＥＤ照明装置内蔵部とをそれぞれ着脱自在に含んで構成されるユニット什器であって、
前記直方体フレーム部が、その上下方向に延びる棒状フレームをその四つの角部にそれぞれ有し、それらの棒状フレームのうちの二つの前記棒状フレームの各々の中にその上端と下端の間で電流を流すための電流路を設け、さらにその電流路の上端と下端の各々に電気コネクターを設けていること、
前記基礎支持部が、その上端に前記棒状フレームの下端の電気コネクターの各々と電気的に接続可能な電気コネクターを有し、電力供給源から前記基礎支持部の電気コネクターに電力を供給することができるように構成されていること、
前記ＬＥＤ照明装置内蔵部が、その下端に前記棒状フレームの上端の電気コネクターの各々と電気的に接続可能な電気コネクターを有し、前記ＬＥＤ照明装置内蔵部の電気コネクターが、内蔵するＬＥＤ照明装置に電気的に連結されていること、及び
前記基礎支持部の上に前記直方体フレーム部を載せ、前記直方体フレーム部の上に前記ＬＥＤ照明装置内蔵部を載せて固定すると、前記基礎支持部の上端の電気コネクターが前記棒状フレームの下端の電気コネクターと電気的に接続され、前記棒状フレームの上端の電気コネクターが前記ＬＥＤ照明装置内蔵部の下端の電気コネクターと電気的に接続されるように構成されていることを特徴とするユニット什器。
（２）前記基礎支持部の電気コネクターに供給される電力の電圧が８〜３０ボルトであることを特徴とする（１）に記載のユニット什器。
（３）前記基礎支持部が、電力供給のために繰り返し充電可能な電池を収納していることを特徴とする（１）又は（２）に記載のユニット什器。
（４）前記ＬＥＤ照明装置内蔵部のＬＥＤ照明装置が、ＬＥＤ照明装置内蔵部の下方又は上方を照明するように構成されていることを特徴とする（１）〜（３）のいずれかに記載のユニット什器。
（５）前記ＬＥＤ照明装置内蔵部の周囲が透明部材からなり、内蔵されるＬＥＤ照明装置の照明が、その透明部材を介して周囲から確認できるように構成されていることを特徴とする（１）〜（３）のいずれかに記載のユニット什器。
（６）前記ＬＥＤ照明装置内蔵部の上に透明ケースが載せられていることを特徴とする（１）〜（５）のいずれかに記載のユニット什器。
（７）前記ＬＥＤ照明装置内蔵部が、その下端の電気コネクターから前記ＬＥＤ照明装置内蔵部の上端まで電流を流すための電流路を有し、さらにその電流路の上端に電気コネクターを有することを特徴とする（１）〜（５）のいずれかに記載のユニット什器。
（８）前記ＬＥＤ照明装置内蔵部の上に載せられる追加の直方体フレーム部と、前記追加の直方体フレーム部に載せられる追加のＬＥＤ照明装置内蔵部とをそれぞれ着脱自在にさらに有し、
前記追加の直方体フレーム部が、その上下方向に延びる棒状フレームをその四つの角部にそれぞれ有し、それらの棒状フレームのうちの二つの前記棒状フレームの各々の中にその上端と下端の間で電流を流すための電流路を設け、さらにその電流路の上端と下端の各々に電気コネクターを設けていること、
前記追加のＬＥＤ照明装置内蔵部が、その下端に前記追加の直方体フレーム部の前記棒状フレームの上端の電気コネクターの各々と電気的に接続可能な電気コネクターを有し、前記追加のＬＥＤ照明装置内蔵部の電気コネクターが、内蔵するＬＥＤ照明装置に電気的に連結されていること、及び
前記ＬＥＤ照明装置内蔵部の上に前記追加の直方体フレーム部を載せ、前記追加の直方体フレーム部の上に前記追加のＬＥＤ照明装置内蔵部を載せて固定すると、前記ＬＥＤ照明装置内蔵部の上端の電気コネクターが前記追加の直方体フレーム部の下端の電気コネクターと電気的に接続され、前記追加の直方体フレーム部の前記棒状フレームの上端の電気コネクターが前記追加のＬＥＤ照明装置内蔵部の下端の電気コネクターと電気的に接続されるように構成されていることを特徴とする（７）に記載のユニット什器。
（９）前記追加のＬＥＤ照明装置内蔵部のＬＥＤ照明装置が、追加のＬＥＤ照明装置内蔵部の下方を照明するように構成されていることを特徴とする（８）に記載のユニット什器。
（１０）什器の全体の外形が、鉛直方向に長手方向を持つ略直方体形状を有することを特徴とする（１）〜（９）のいずれかに記載のユニット什器。